(57)【特許請求の範囲】
【請求項１】
網戸用枠体の内周に設けられ、該網戸用枠体の内周平面壁とそれに対向する内向き突縁との間に狭窄化した口部を有している網戸用ネットの係止用溝に、該ネットと共に押入することにより、該ネットを上記網戸用枠体に固定するための合成樹脂製の押さえ部材であって、
該押さえ部材は、係止用溝を覆う覆板に設けた脚部が、該係止用溝に対してその内向き突縁に圧接する状態で嵌る弾性変形可能な脚条と、上記網戸用枠体の内周平面壁に当接して装着姿勢を保持する上記脚条より長い当接板とを備えることにより構成され、
上記脚条は、上記係止用溝への押入時に内向き突縁の先端に圧接する斜面と、上記係止用溝への押入完了時に該係止用溝の内側に弾性的に係止する係止縁とを備え、
上記当接板は、その先端部分のネットの折返し部に、上記覆板及び脚部の樹脂よりもネットの滑りが良好な滑性樹脂からなる滑り部が一体に付設され、
上記覆板における脚条の連結位置の外側部に、上記内向き突縁の外面との間に挟持したネットに圧接する軟質の圧接部を一体に形成し、該圧接部に、上記係止用溝における内向き突縁の外面との間に挟持したネットに弾性的に圧接してネット表面の凹凸に食い込む尖頭状の突条が突設されている、
ことを特徴とする網戸用ネットの押さえ部材。
【請求項２】
上記網戸用枠体の内周平面壁に当接する上記当接板の上下端の当接部間の長さを、上記脚条の係止縁における上記係止用溝内側への係止部から上記内周平面壁に下ろした垂線よりも長く形成した、
ことを特徴とする請求項１に記載の網戸用ネットの押さえ部材。
【請求項３】
上記当接板が、網戸用枠体の内周平面壁に当接する複数の当接部を有している、
ことを特徴とする請求項２に記載の網戸用ネットの押さえ部材。
【請求項４】
上記当接板が、上下端の当接部間において網戸用枠体の内周平面壁に対し平面的に当接している、
ことを特徴とする請求項２に記載の網戸用ネットの押さえ部材。
【請求項５】
上記当接板と脚条の先端間を、弾性的に変形可能な上記滑性樹脂からなる滑り部によって連結した、
ことを特徴とする請求項１〜４のいずれかに記載の網戸用ネットの押さえ部材。
【請求項６】
上記当接板の先端部分に付設した滑性樹脂からなる滑り部が、網戸用枠体の内周平面壁に設けた凹窪に嵌入する鈎型をなしている、
ことを特徴とする請求項１〜４のいずれかに記載の網戸用ネットの押さえ部材。
【発明の詳細な説明】
【技術分野】
【０００１】
本発明は、網戸用枠体の係止用溝に網戸用ネットとともに押入することにより、該ネットを枠体に対して固定するための網戸用ネットの押さえ部材に関し、特に、汎用防虫用ネットに比してフィラメントが細くてメッシュが細かい網戸用ネットを、既存の網戸用枠体における網戸用ネットの係止用溝に対して固定するのに適した網戸用ネットの押さえ部材に関するものである。
【背景技術】
【０００２】
近年、建物開口部からより小さな虫や細かい塵埃、花粉等が侵入するのを防ぎ、且つネットを通した視界をより明るくでき、通風性をも改善できるようにするため、既知の汎用の防虫用ネットに比してフィラメントの繊度がより細く、メッシュがより細かい網戸用ネットの需要が多くなっているが、この種のネットは既知のネットに比して生地が薄く、必然的に表面が平滑で、ネット自体が柔軟であり、他物との摩擦力も小さく、表面が滑りやすい状態になっているため、網戸用枠体に対して既知のゴム紐状の押さえ部材等を使用して該ネットを固定しようとすると、綺麗に張ることができないばかりでなく、張設した該ネットに外力が作用すると簡単に抜け出し、あるいは押さえ部材とともに係止用溝から外れてしまうという問題がある。
【０００３】
また、ネット自体が薄く傷が付きやすいため、ネットを押さえ部材で網戸用枠体に固定する際に、該押さえ部材からネットに対して部分的に集中して外力を作用させると、該ネットが破損してしまう可能性があり、単純に強い力での圧接による固定は困難である。
このような問題に対処し、特許文献１により開示されているネット押さえ部材においては、脚部を網戸用枠体の係止用溝内に押入してネットを固定する際に、最終的にネットの固定がほぼ完了する段階で覆板における軟質の尖頭状の圧接部が上記ネット表面の凹凸により変形しながら該ネットに対して弾性的に圧接され、該圧接部とネットとの間の摩擦力によって該ネットがずれ動くのを抑止できるようにしている。
【０００４】
上記特許文献１の構成は、生地が薄くてその表面が滑りやすいネットを網戸用枠体に対して容易に且つ損傷を与えることなく安定的に緊張状態で固定するために非常に有効なものであるが、網戸用枠体の係止用溝に装着したネットの押さえ部材の姿勢を安定化させることにより、ネット張設時に覆板における軟質の尖頭状の圧接部をネットに対して安定的に圧接させるためには、上記押さえ部材の当接板を網戸用枠体の内周平面壁に確実に当接させて、その装着姿勢を保持させるのが有効であり、上記当接板には挿着姿勢を保持するための当接長さが必要になる。
【０００５】
しかしながら、上記当接板の長さを長くすると、それによって保持されるネットが当接板の先端で折り返すことになるので、該ネットの張設時にその折返し部分に張力が集中的に作用することになり、それがネットの損傷の原因になったり、ネットに不測の張力を与えてその緊張状態に悪影響を及ぼす原因になる可能性がある。
【特許文献１】特開２００７−２０５１５３号公報
【発明の開示】
【発明が解決しようとする課題】
【０００６】
本発明の技術的課題は、基本的には、フィラメントが細くメッシュが細かく、結果的に表面が滑りやすいネットを網戸用枠体に張設するに際し、網戸用ネットの押さえ部材の姿勢を安定化させ、それによって、軟質の圧接部によるネットの挟持を一層安定化させることにある。
本発明の更に具体的な技術的課題は、上記押さえ部材の姿勢を安定化させるために網戸用枠体の内周平面壁に当接させる当接板が長くなっても、ネット自体あるいはその緊張状態に悪影響を及ぼすのを抑制できるようにした網戸用ネットの押さえ部材を提供することにある。
【課題を解決するための手段】
【０００７】
上記課題を解決するための本発明に係る網戸用ネットの押さえ部材は、網戸用枠体の内周に設けられ、該網戸用枠体の内周平面壁とそれに対向する内向き突縁との間に狭窄化した口部を有している網戸用ネットの係止用溝に、該ネットと共に押入することにより、該ネットを上記網戸用枠体に固定するための合成樹脂製の押さえ部材であって、該押さえ部材は、係止用溝を覆う覆板に設けた脚部が、該係止用溝に対してその内向き突縁に圧接する状態で嵌る弾性変形可能な脚条と、上記網戸用枠体の内周平面壁に当接して装着姿勢を保持する上記脚条より長い当接板とを備えることにより構成され、上記脚条は、上記係止用溝への押入時に内向き突縁の先端に圧接する斜面と、上記係止用溝への押入完了時に該係止用溝の内側に弾性的に係止する係止縁とを備え、上記当接板は、その先端部分のネットの折返し部に、上記覆板及び脚部の樹脂よりもネットの滑りが良好な滑性樹脂からなる滑り部が一体に付設され、上記覆板における脚条の連結位置の外側部に、上記内向き突縁の外面との間に挟持したネットに圧接する軟質の圧接部を一体に形成し、該圧接部に、上記係止用溝における内向き突縁の外面との間に挟持したネットに弾性的に圧接してネット表面の凹凸に食い込む尖頭状の突条が突設されていることを特徴とするものである。
【０００８】
上記本発明の網戸用ネットの押さえ部材においては、網戸用枠体の内周平面壁に当接する上記当接板の上下端の当接部間の長さを、上記脚条の係止縁における上記係止用溝内側への係止部から上記内周平面壁に下ろした垂線よりも長く形成することが、装着時における押さえ部材の姿勢の安定化により有効である。
【０００９】
また、上記当接板は、網戸用枠体の内周平面壁に当接する複数の当接部を有しているものとし、あるいは、上下端の当接部間において網戸用枠体の内周平面壁に対し平面的に当接しているものとすることができる。更に、上記当接板と脚条の先端間を、弾性的に変形可能な上記滑性樹脂からなる滑り部によって連結し、あるいは、上記当接板の先端部分に付設した滑性樹脂からなる滑り部が、網戸用枠体の内周平面壁に設けた凹窪に嵌入する鈎型をなすものとすることもできる。
【００１０】
上記構成を有する網戸用ネットの押さえ部材は、網戸用枠体の係止用溝内にネットを介して上記押さえ部材の脚部を押入することによりネットを固定し、最終的なネットの固定の段階では、覆板における軟質の尖頭状の圧接部が上記ネット表面の凹凸により変形しながら該ネットに対して弾性的に圧接し、該圧接部とネットとの間の摩擦力によって該ネットがずれ動くのを抑止するが、その固定状態において、脚条の係止縁が係止用溝の内側に弾性的に係止することにより、上記覆板の圧接部に必要な圧接力を作用させる必要があるのは勿論であるが、押さえ部材の係止用溝内における姿勢が安定化していることも重要であり、そのためには、網戸用枠体の内周平面壁に当接する当接板にその当接姿勢を保持するに必要な長さが付与される。
【００１１】
ところが、上記当接板の長さが長くなると、前述したように、保持されるネットが当接板の先端で折り返すことになるので、該ネットの張設時にその折返し部分に張力が集中的に作用することになる。
しかし、本発明においては、該当接板の先端部分におけるネットの折返し部に、ネットの滑りを良好にする滑性樹脂からなる滑り部を付設しているので、上記ネットの折返し部においてネットにいずれかの側から不測の張力が作用しても、ネットがその折返し部において滑ることにより損傷を受けるのが抑制される。
【００１２】
なお、網戸用枠体の係止用溝にネットを介して押さえ部材を押入する段階で、ネットに対し上記折返し部の両側から強い引張力が作用することは考えられず、通常はその折返し部の一方側から引張力が作用するので、上記滑性樹脂からなる滑り部は、上記折返し部におけるネットの滑りに有効に作用することになる。
【発明の効果】
【００１３】
以上に詳述した本発明の網戸用ネットの押さえ部材によれば、フィラメントが細くメッシュが細かく、結果的に表面が滑りやすいネットを網戸用枠体に張設するに際し、網戸用ネットの押さえ部材の姿勢が安定化され、それによって、軟質の圧接部によるネットの挟持を安定化させることができる。更に、上記押さえ部材の姿勢を安定化させるために網戸用枠体の内周平面壁に当接させる当接板が長くなっても、その先端に設けた滑性樹脂からなる滑り部により、ネット自体あるいはその緊張状態が悪影響を受けるのが抑制される。
【発明を実施するための最良の形態】
【００１４】
図１は、本発明に係る網戸用ネットの押さえ部材を、防虫・花粉除け網戸におけるネットの固定に適用した場合の第１実施例を示している。この網戸は、窓枠などの建物開口部に固定的に、あるいは摺動自在に配設されるものである。
上記網戸は、四辺を構成するアルミニウム製の縦横の枠部材１により方形に形成された網戸用枠体と、該枠体に張設されるネット２と、該ネット２を枠体に固定するための合成樹脂製の押さえ部材３とを備えるものであるが、網戸において、方形に形成された縦横の枠部材１にネットを張設することは周知であるため、図では網戸用枠体の全体の図示を省略し、枠部材１の断面形状のみを示している。
【００１５】
上記ネット２は、建物開口部から小さな虫や細かい塵埃、花粉等が侵入するのを防ぎ、且つネットを通した視界をより明るくし、通風性をも改善できるようにしたもので、既知の防虫用ネットよりも極端に細い繊度のポリエステル繊維あるいはポリプロピレン繊維等のフィラメントを用い、それを平織あるいはラッセル織等で織成することにより、汎用の防虫ネットよりもフィラメントの繊度がより細く、メッシュが非常に細かく形成されたものである。そのため、主としてその細かい繊度に起因して、既知のネットに比して生地が薄く、必然的に表面が平滑で、ネット自体が柔軟であり、他物との摩擦力も小さく、表面が滑りやすい状態になっているものである。
【００１６】
上記網戸用枠体は、その内周側に形成した壁面の内側であるネット張設面の周囲に、上記ネット２を介して押さえ部材３を押入する係止用溝１１を設けた既存のものであり、該網戸用枠体を構成する図示の枠部材１では、その係止用溝１１が、上記枠体の内周側にあたる内周平面壁１２とそれに対向する内向き突縁１３との間に狭窄化した口部を有するものとして構成されている。上記ネット２は、それを上記枠部材１の係止用溝１１を設けたネット張設面上に載置した状態で、上記押さえ部材３と共に係止用溝１１内に押入され、枠部材１に張設固定されるものである。なお、上記縦横の枠部材は、同一断面形状を有するものとは限らないが、口部が内向き突縁１３により狭窄化された係止用溝１１は、実質的に同一形状を有するものとして構成される。また、上記係止用溝１１内にはそれに装着した押さえ部材３の一部に接触する突壁１４を設けているが、これについては後述する。
【００１７】
上記押さえ部材３は、合成樹脂の押出成形により形成され、上記係止用溝１１を覆う覆板３１に、該係止用溝１１に対してその内向き突縁１３に圧接する状態で嵌る脚部を備えることにより構成され、そして、該脚部は、上記内向き突縁１３に圧接する状態で嵌る弾性変形可能な脚条３２と、上記枠部材１の内周平面壁１２に当接して装着姿勢を保持する上記脚条３２よりも長い当接板３３とによって構成されている。したがって、この当接板３３は覆板３１の端部に連結されている。
【００１８】
上記覆板３１には、その脚条３２の連結位置の外側部に、該覆板３１及び脚条３２を形成する樹脂よりも軟質の合成樹脂により該覆板３１と一体成形された圧接部３５が設けられている。そして、該圧接部３５には、上記係止用溝１１における内向き突縁１３の外面１３ａとの間に挟持した上記ネット２に弾性的に圧接して先端がネット表面の凹凸に食い込む尖頭状の突条３５ａが突設されている。
覆板３１に鎖線で付記した突条３５ａは、係止用溝１１の内向き突縁１３上のネット２に圧接する前の未変形状態を示し、同実線の突条３５ａは、内向き突縁１３上のネット２に弾性的に圧接してネット２の表面の凹凸に食い込むような態様で変形した状態を示している。該突条３５ａは、１条でもよいが、２〜３条とすることによりネット２の固定を効果的に行うことができる。
【００１９】
上記脚条３２は、その先端部外側に、上記係止用溝１１への押入時に該係止用溝１１の内向き突縁１３の先端にネット２を介して圧接する斜面３６を有し、且つ、該押さえ部材３の係止用溝１１への押入完了時に上記突縁１３の内側に弾性的に係止する係止縁３７を備えている。この係止縁３７は、上記斜面３６に背向する斜面に形成され、それらがなだらかな面によって連接されている。そして、脚条３２の外面で、係止用溝１１へネット２を介して押入する際に該係止用溝１１の内向き突縁１３に圧接する上記斜面３６の部分等は、その押入の際のネット２の損傷を防止するため、該ネット２の滑動を許容する平滑面として構成している。また、上記係止用溝１１内に設けた突壁１４は、押さえ部材３を係止用溝１１に装着した状態で上記斜面３６に接触してネット２を押さえるものであるが、該突壁１４は必ずしも設ける必要がない。
【００２０】
上記当接板３３は、枠部材１の内周平面壁１２に当接して押さえ部材３の装着姿勢を保持するものとして構成している。該押さえ部材３の装着姿勢を保持させるためには、その当接板３３にある程度の長さが必要である。そのため、当接板３３の外側面のほぼ全面、つまり、枠部材１の内周平面壁１２に対する当接板３３の上下端の当接部間において、該内周平面壁１２に対して平面的に当接させるようにしてもよいが、必ずしもその必要はなく、該装着姿勢が保持される範囲内で外側面を部分的に当接させ、具体的には、外側面の上下の２点ないしはそれを含む３数点以上の複数点で当接させることもできる。
【００２１】
図１に示す実施例では、上記当接板３３の上端に付設した軟質樹脂からなるネット端固定部片３８を設けると共に、当接板３３の中間部に位置して上記内周平面壁１２に設けた凹部１５に係合することにより当接板３３の位置決めを行う凸部３９を設けているが、これらの部分に限ることなく、該当接板３３を全面的に内周平面壁１２に当接させている。上記当接板３３の上端に一体成形により設けた軟質のネット端固定部片３８は、押さえ部材３の係止用溝１１への押入完了時に内周平面壁１２に圧接し、最終的なネット２の固定がほぼ完了する段階でネット２の端部の固定に寄与し、ネット２との間の摩擦力によって該ネット２が係止用溝１１内でずれ動くのを抑止するものである。
【００２２】
また、上記内周平面壁１２に当接する当接板３３は、押さえ部材３の姿勢を安定化させるためにその上下端の当接部の間の長さをある程度長くする必要があるが、その長さは、上記脚条３２の係止縁３７における係止用溝１１の口部内側への係止部、つまり、内周平面壁１２に対向する内向き突縁１３の先端から上記内周平面壁１２に下ろした垂線Ｌよりも長く形成するのが望ましい。
【００２３】
更に、上記当接板３３の先端部分であるネット２の折返し部には、上記覆板３１及び脚部を構成する樹脂よりもネットの滑りが良好な滑性樹脂からなる滑り部４０Ａを、一体成形で付設している。この滑性樹脂からなる滑り部４０Ａは、その表面をネット２が滑るようにするものであるから、滑らかな表面を有することが必要である。
上記滑性樹脂としては、例えば、覆板３１及び脚部を構成する樹脂が塩化ビニールである場合、滑性グレードの塩化ビニールを用いることになるが、これに限定されるものではない。
【００２４】
上記構成を有する網戸用ネットの押さえ部材３は、上記係止用溝１１内にネット２を介して上記押さえ部材３の脚部を押入することによりネット２を固定し、最終的なネット２の固定の段階では、覆板３１における軟質の尖頭状の圧接部３５に設けている突条３５ａが上記ネット２の表面の凹凸により変形しながら該ネット２に対して弾性的に圧接し、該圧接部３５とネット２との間の摩擦力によって該ネット２がずれ動くのを抑止するものである。
【００２５】
上記ネット２の固定状態においては、脚条３２の係止縁３７が係止用溝１１の内側に弾性的に係止することにより、上記覆板３１の圧接部３５に必要な圧接力を作用させる必要があるが、押さえ部材３の係止用溝１１内における姿勢が安定化していることも重要であり、そのためには、枠部材１の内周平面壁１２に当接する当接板３３にその当接姿勢を保持するに必要な長さが付与されるが、上記当接板３３の長さが長くなると、保持されるネット２が当接板３３の先端で鋭角的に折り返すことになるので、該ネット２の張設時にその折返し部分に張力が集中的に作用する可能性がある。
【００２６】
しかるに、上述したように、当接板３３の先端部分におけるネット２の折返し部に、ネット２の滑りを良好にする滑性樹脂からなる滑り部４０Ａを付設しているので、上記ネット２の折返し部において該ネット２にいずれかの側から不測の張力が作用しても、ネット２がその折返し部において滑ることにより損傷を受けるのが抑制される。
なお、上記係止用溝１１にネット２を介して押さえ部材３を押入する段階で、ネット２に対し上記折返し部の両側から強い引張力が作用することは考えられず、通常はその折返し部の一方側から引張力が作用するので、上記滑り部４０Ａは上記折返し部におけるネット２の滑りに有効に作用することになる。
【００２７】
図２に示す第２実施例においては、上記当接板３３の先端に、脚条３２側に湾曲させた滑性樹脂からなる滑り部４０Ｂを、第１実施例と同様に一体成形で付設している。この湾曲させた滑り部４０Ｂは、滑性樹脂自体の滑りやすさと該滑り部４０Ｂ自体の形状による滑りやすさを利用するものである。
【００２８】
また、図３に示す第３実施例においては、上記当接板３３と脚条３２の先端間を、弾性的に変形可能な滑性樹脂からなる滑り部４０Ｃによって連結している。上記滑性樹脂の弾性的な変形は、係止用溝１１に嵌る脚条３２の弾性変形を妨げないものとする必要がある。
この第３実施例においては、前記第１実施例と同様に、当接板３３の上端に軟質樹脂からなるネット端固定部片３８を設けると共に、当接板３３の中間部に位置させて上記内周平面壁１２に設けた凹部１５に係合する凸部３９を設けながら、当接板３３を全面的に内周平面壁１２に当接させているが、上記滑り部４０Ｃに微小凸部４１を設けてそれをネット２を介して内周平面壁１２に当接させ、押さえ部材３の姿勢をより安定化させるようにしている。なお、この図３においては、圧接部３５に設けた尖頭状の突条３５ａを、係止用溝１１の内向き突縁１３上のネット２に圧接する前の未変形状態として示している。
【００２９】
図４に示す第４実施例においては、上記当接板３３の先端部分に付設した滑性樹脂からなる滑り部４０Ｄを、枠部材１の内周平面壁１２に設けた凹窪１６に嵌入する鈎型をなすものとして構成している。この滑り部４０Ｄは、それ自体の滑性樹脂によってネット２に良好な滑りを与えながら、該滑り部４０Ｄ自体の鈎型部分が内周平面壁１２の凹窪１６に係合して、押さえ部材３の姿勢の安定化を図るものである。
また、この第４実施例においては、第１実施例と同様の軟質樹脂からなるネット端固定部片３８を当接板３３の上端に付設し、このネット端固定部片３８と当接板３３の下端の上記滑り部４０Ｄとにおいて、当接板３３を内周平面壁１２に保持させている。
【００３０】
上記構成を有する第２〜第３実施例の押さえ部材３のその他の構成及び主たる作用は、第１実施例において説明したところと実質的に同様であるため、図中における同一または対応部分に同一の符号を付して、ここではそれらの説明を省略する。
【図面の簡単な説明】
【００３１】
【図１】本発明の第１実施例に係る網戸用ネットの押さえ部材を枠部材の係止用溝に装着した状態を示す断面図である。
【図２】本発明の第２実施例に係る押さえ部材の図１と同様な断面図である。
【図３】本発明の第３実施例に係る押さえ部材の図１と同様な断面図である。
【図４】本発明の第４実施例に係る押さえ部材の図１と同様な断面図である。
【符号の説明】
【００３２】
２      ネット
３      押さえ部材
１１      係止用溝
１２      内周平面壁
１３      内向き突縁
３１      覆板
３２      脚条
３３      当接板
３５      圧接部
３５ａ    突条
３６      斜面
３７      係止縁
４０Ａ〜４０Ｄ    滑り部
【図１】
0004974969.tif 000002
【図２】
0004974969.tif 000003
【図３】
0004974969.tif 000004
【図４】
0004974969.tif 000005